(57)【要約】【課題】  セキュリティを維持した画像形成の中断と再開を行う画像形成装置を提供する。【解決手段】  本発明は画像形成装置に関する。そして、本発明の画像形成装置は、画像形成処理の中断処理を受け付け、中断処理の受付の際に識別情報を取得し、中断処理の指示を受け付けた場合実行中の画像形成処理の中断処理を行い、中断処理を行った画像形成データを中断処理の指示を受け付けた際に取得した識別情報に基づいて暗号化処理し、画像形成処理の再開処理の指示を受け付け、再開処理の指示を受け付ける際に識別情報を取得し、再開処理の指示を受け付けた場合、再開処理に係る画像形成データを、再開所の指示を受け付けた際に取得した識別情報に基づいて復号処理して、画像形成を再開させることを特徴とする。【選択図】      図１
2018089797.tif 000002
【特許請求の範囲】
【請求項１】
媒体に画像形成を行う画像形成手段と、
前記画像形成手段を用いて画像形成処理を行うための画像形成データを管理する管理手段と、
前記管理手段で管理されている画像形成データを用いて前記画像形成手段に画像形成処理を実行させる制御手段と、
前記画像形成手段で実行中の画像形成処理を中断する中断処理の指示を受け付けるものであって、中断処理の指示を受け付ける際に識別情報を取得する中断指示受付手段とを備え、
前記制御手段は、前記中断指示受付手段で、中断処理の指示を受け付けた場合、前記画像形成手段で実行中の画像形成処理を中断する中断処理を行い、中断処理を行った画像形成処理の画像形成データを、前記中断指示受付手段が取得した識別情報に基づいて暗号化処理し、
中断処理を行った画像形成処理を再開する再開処理の指示を受け付けるものであって、再開処理の指示を受け付ける際に識別情報を取得する再開指示受付手段をさらに備え、
前記制御手段は、前記再開指示受付手段で、再開処理の指示を受け付けた場合、再開処理を受け付けた画像形成処理の画像形成データを、前記再開指示受付手段が取得した識別情報に基づいて復号処理して、前記画像形成手段に復号処理した画像形成データの画像形成処理を再開させる
ことを特徴とする画像形成装置。
【請求項２】
前記中断指示受付手段は、外部の情報処理装置から中断処理の指示を受け付け、中断処理の指示を受け付ける際に、識別情報として、前記情報処理装置から前記情報処理装置を識別する装置識別情報を取得し、
前記再開指示受付手段は、前記情報処理装置から、再開処理の指示を受け付け、再開処理の指示を受け付ける際に、識別情報として、前記情報処理装置から前記情報処理装置を識別する装置識別情報を取得する
ことを特徴とする請求項１に記載の画像形成装置。
【請求項３】
前記制御手段は、
中断処理に係る画像形成データを暗号化処理する際に、前記中断指示受付手段が取得した識別情報を含む情報を鍵情報として暗号化処理し、
再開処理に係る画像形成データを復号処理する際に、前記再開指示受付手段が取得した識別情報を含む情報を鍵情報として復号処理する
ことを特徴とする請求項２に記載の画像形成装置。
【請求項４】
前記管理手段は、画像形成データに基づく画像形成処理を制御するためのジョブＩＤを管理し、
前記中断指示受付手段は、中断処理の指示を受け付ける際に、中断する画像形成処理の画像形成データに対応するジョブＩＤを前記情報処理装置に送信し、
前記再開指示受付手段は、再開処理の指示を受け付ける際に、前記情報処理装置から再開処理を受け付けた画像形成データに対応するジョブＩＤを受信し、
前記制御手段は、前記再開指示受付手段で、再開処理の指示を受け付けた場合、前記再開指示受付手段が受信したジョブＩＤに基づいて、再開処理の対象となる画像形成データを特定する
ことを特徴とする請求項２又は３に記載の画像形成装置。
【請求項５】
前記制御手段は、
中断処理を行った画像形成データを暗号化処理する際に、前記中断指示受付手段が取得した識別情報と、当該画像形成データに対応するジョブＩＤを含む情報を暗号化処理の鍵情報とし、
再開処理を行う画像形成データを復号処理する際に、前記再開指示受付手段が取得した識別情報と、当該画像形成データに対応するジョブＩＤを含む情報を復号処理の鍵情報とする
ことを特徴とする請求項４に記載の画像形成装置。
【請求項６】
前記情報処理装置が近づけられると前記情報処理装置と近距離無線通信を行う近距離無線通信部をさらに備え、
前記中断指示受付手段は、前記近距離無線通信部を介して中断処理の指示を受付け、
前記再開指示受付手段は、前記近距離無線通信部を介して再開処理の指示を受付ける
ことを特徴とする請求項２〜５のいずれかに記載の画像形成装置。
【請求項７】
画像形成装置と、前記画像形成装置を制御することが可能な情報処理装置とを備える画像形成システムにおいて、
前記画像形成装置は、
媒体に画像形成を行う画像形成手段と、
前記画像形成手段を用いて画像形成処理を行うための画像形成データを管理する管理手段と、
前記管理手段で管理されている画像形成データを用いて前記画像形成手段に画像形成処理を実行させる制御手段と、
前記画像形成手段で実行中の画像形成処理を中断する中断処理の指示を受け付けるものであって、中断処理の指示を受け付ける際に識別情報を取得する中断指示受付手段とを備え、
前記制御手段は、前記中断指示受付手段で、中断処理の指示を受け付けた場合、前記画像形成手段で実行中の画像形成処理を中断する中断処理を行い、中断処理を行った画像形成処理の画像形成データを、前記中断指示受付手段が取得した識別情報に基づいて暗号化処理し、
中断処理を行った画像形成処理を再開する再開処理の指示を受け付けるものであって、再開処理の指示を受け付ける際に識別情報を取得する再開指示受付手段をさらに備え、
前記制御手段は、前記再開指示受付手段で、再開処理の指示を受け付けた場合、再開処理を受け付けた画像形成処理の画像形成データを、前記再開指示受付手段が取得した識別情報に基づいて復号処理して、前記画像形成手段に復号処理した画像形成データの画像形成処理を再開させ、
前記中断指示受付手段は、前記情報処理装置から中断処理の指示を受け付け、中断処理の指示を受け付ける際に、識別情報として、前記情報処理装置から前記情報処理装置を識別する装置識別情報を取得し、
前記再開指示受付手段は、前記情報処理装置から、再開処理の指示を受け付け、再開処理の指示を受け付ける際に、識別情報として、前記情報処理装置から前記情報処理装置を識別する装置識別情報を取得する
ことを特徴とする画像形成システム。
【発明の詳細な説明】
【技術分野】
【０００１】
この発明は、画像形成装置及び画像形成システムに関し、例えば、印刷ジョブの中断及び再開を行うプリンタや複合機に適用し得る。
【背景技術】
【０００２】
従来、実行中の印刷ジョブを制御可能とする画像形成装置として特許文献１に記載された装置があった。特許文献１の画像形成装置では、割り込みやジャム等によって印刷の中断が要求されたときに、コピー条件やコピー進行状況のデータ記憶しておき、コピーの再開が可能となったとき記憶したデータに基づいてコピーを再開する。
【先行技術文献】
【特許文献】
【０００３】
【特許文献１】特開平５−１９９３４１号公報
【発明の概要】
【発明が解決しようとする課題】
【０００４】
しかしながら、従来のプリンタでは、印刷実行中のジョブを一時的に中断し、後に再開を受け付けることが可能であるが、その際のセキュリティが考慮されていないという問題があった。例えば、従来のプリンタでは、印刷実行中の印刷ジョブを一時的に中断すると、その後当該印刷ジョブを再開する操作は誰でも（誰の印刷ジョブでも）実行可能となっており、不正に印刷物が持ち去られること等を抑制することができなかった。
【０００５】
そのため、セキュリティを維持した画像形成（印刷）の中断と再開を行う画像形成装置及び画像形成システムが望まれている。
【課題を解決するための手段】
【０００６】
第１の本発明の画像形成装置は、（１）媒体に画像形成を行う画像形成手段と、（２）前記画像形成手段を用いて画像形成処理を行うための画像形成データを管理する管理手段と、（３）前記管理手段で管理されている画像形成データを用いて前記画像形成手段に画像形成処理を実行させる制御手段と、（４）前記画像形成手段で実行中の画像形成処理を中断する中断処理の指示を受け付けるものであって、中断処理の指示を受け付ける際に識別情報を取得する中断指示受付手段とを備え、（５）前記制御手段は、前記中断指示受付手段で、中断処理の指示を受け付けた場合、前記画像形成手段で実行中の画像形成処理を中断する中断処理を行い、中断処理を行った画像形成処理の画像形成データを、前記中断指示受付手段が取得した識別情報に基づいて暗号化処理し、（６）中断処理を行った画像形成処理を再開する再開処理の指示を受け付けるものであって、再開処理の指示を受け付ける際に識別情報を取得する再開指示受付手段をさらに備え、（７）前記制御手段は、前記再開指示受付手段で、再開処理の指示を受け付けた場合、再開処理を受け付けた画像形成処理の画像形成データを、前記再開指示受付手段が取得した識別情報に基づいて復号処理して、前記画像形成手段に復号処理した画像形成データの画像形成処理を再開させることを特徴とする。
【０００７】
第２の本発明は、画像形成装置と、前記画像形成装置を制御することが可能な情報処理装置とを備える画像形成システムにおいて、（１）前記画像形成装置は、（１−１）媒体に画像形成を行う画像形成手段と、（１−２）前記画像形成手段を用いて画像形成処理を行うための画像形成データを管理する管理手段と、（１−３）前記管理手段で管理されている画像形成データを用いて前記画像形成手段に画像形成処理を実行させる制御手段と、（１−４）前記画像形成手段で実行中の画像形成処理を中断する中断処理の指示を受け付けるものであって、中断処理の指示を受け付ける際に識別情報を取得する中断指示受付手段とを備え、（１−５）前記制御手段は、前記中断指示受付手段で、中断処理の指示を受け付けた場合、前記画像形成手段で実行中の画像形成処理を中断する中断処理を行い、中断処理を行った画像形成処理の画像形成データを、前記中断指示受付手段が取得した識別情報に基づいて暗号化処理し、（１−６）中断処理を行った画像形成処理を再開する再開処理の指示を受け付けるものであって、再開処理の指示を受け付ける際に識別情報を取得する再開指示受付手段をさらに備え、（１−７）前記制御手段は、前記再開指示受付手段で、再開処理の指示を受け付けた場合、再開処理を受け付けた画像形成処理の画像形成データを、前記再開指示受付手段が取得した識別情報に基づいて復号処理して、前記画像形成手段に復号処理した画像形成データの画像形成処理を再開させ、（１−８）前記中断指示受付手段は、前記情報処理装置から中断処理の指示を受け付け、中断処理の指示を受け付ける際に、識別情報として、前記情報処理装置から前記情報処理装置を識別する装置識別情報を取得し、（１−９）前記再開指示受付手段は、前記情報処理装置から、再開処理の指示を受け付け、再開処理の指示を受け付ける際に、識別情報として、前記情報処理装置から前記情報処理装置を識別する装置識別情報を取得することを特徴とする。
【発明の効果】
【０００８】
本発明によれば、セキュリティを維持した画像形成の中断と再開を行う画像形成装置を提供することができる。
【図面の簡単な説明】
【０００９】
【図１】実施形態に係る画像形成システムの全体構成について示したブロック図である。
【図２】実施形態に係る印刷待ちジョブリストの構成例について示した説明図である。
【図３】実施形態に係る保存ジョブリストの構成例について示した説明図である。
【図４】実施形態に係る画像形成システムの動作の例について示したシーケンス図である。
【図５】実施形態に係る携帯端末で表示される印刷中断指示画面の構成例について示した説明図である。
【図６】実施形態に係る携帯端末で表示される印刷再開指示画面の構成例について示した説明図である。
【図７】実施形態に係る携帯端末の動作について示したフローチャートである。
【図８】実施形態に係る画像形成装置の動作について示したフローチャートである。
【図９】実施形態の変形例に係る印刷待ちジョブリストの遷移の例について示した説明図である。
【図１０】実施形態の変形例に係る保存ジョブリストの遷移の例について示した説明図である。
【図１１】実施形態の変形例係る携帯端末で表示される印刷中断指示画面の構成について示した説明図である。
【発明を実施するための形態】
【００１０】
（Ａ）主たる実施形態
以下、本発明による画像形成装置及び画像形成システムの一実施形態を、図面を参照しながら詳述する。
【００１１】
（Ａ−１）実施形態の構成
図１は、この実施形態の画像形成システム１の全体構成を示すブロック図である。
【００１２】
画像形成システム１には、画像形成装置２００、画像形成装置２００に印刷ジョブを送信（印刷データを送信して印刷を依頼）する複数のホスト端末３００（３００−１、３００−２、…）と、ユーザーの操作に応じて画像形成装置２００を制御する情報処理装置としての携帯端末１００を有している。なお、画像形成システム１を構成する各装置（携帯端末１００、画像形成装置２００、及びホスト端末３００）の数は限定されないものである。この実施形態の例では、携帯端末１００及びホスト端末３００−１をユーザーＩＤが「ＵｓｅｒＡ」のユーザー（以下、単に、「ＵｓｅｒＡ」とも呼ぶ）が使用し、ホスト端末３００−２をユーザーＩＤが「ＵｓｅｒＢ」のユーザー（以下、単に「ＵｓｅｒＢ」とも）が使用するものとして以下の説明を行う。なお、画像形成システム１において、携帯端末１００及びホスト端末３００は、単一のユーザーにより使用される装置としてもよいし、複数のユーザーで共用される装置（例えば、ログインの際にユーザーＩＤを入力して使用される装置）としてもよい。
【００１３】
画像形成装置２００は、受信した印刷ジョブのデータ（以下、「印刷データ」と呼ぶ）に従って媒体（例えば、用紙）に印刷（画像形成）を行う装置である。
【００１４】
ホスト端末３００は、画像形成装置２００に印刷ジョブを送信（印刷データを送信して印刷を依頼）することが可能な端末（クライアント端末）である。この実施形態において、ホスト端末３００は、ネットワークＮを介して画像形成装置２００と通信するものとして説明する。なお、ネットワークＮの構成（ホスト端末３００と画像形成装置２００との間の通信経路や通信方式）については限定されないものであるが、例えば、ＬＡＮやインターネット等のＩＰネットワークが該当する。
【００１５】
まず、携帯端末１００の内部構成について説明する。
【００１６】
携帯端末１００は、アプリケーション部１１０、端末情報格納部１２０、近距離無線通信部１３０、及び操作表示部１４０を有している。
【００１７】
端末情報格納部１２０は、自装置に関する情報（以下、「携帯端末情報」と呼ぶ）を格納（記録）するものである。携帯端末情報には、例えば、自装置の識別情報としての携帯識別ＩＤ（例えば、電話番号やＭＡＣアドレス等の装置識別情報）及び使用者のユーザーＩＤ（この実施形態の例では、ＵｓｅｒＡ）が含まれるものとする。以下では、携帯端末１００の端末情報格納部１２０には携帯識別ＩＤとして電話番号「１２３４−５６７８」が登録されているものとする。
【００１８】
近距離無線通信部１３０は、画像形成装置２００等と無線通信を行うための無線通信インタフェースである。この実施形態の例では、携帯端末１００と画像形成装置２００との間はＮＦＣ（Ｎｅａｒ  Ｆｉｅｌｄ  ｒａｄｉｏ  Ｃｏｍｍｕｎｉｃａｔｉｏｎ）の通信方式で通信するものとして説明する。携帯端末１００と画像形成装置２００との間の通信方式（通信経路）は限定されないものであり、例えば、無線ＬＡＮ通信やＢｌｕｅｔｏｏｔｈ（登録商標）通信等を適用するようにしてもよい。
【００１９】
無線通信部１５０は、図示しないネットワーク（例えば、キャリア通信網（移動体通信網）や無線ＬＡＮネットワーク）に接続するための通信インタフェースである。
【００２０】
なお、この実施形態の携帯端末１００では、近距離無線通信部１３０と無線通信部１５０とを別個に設けているが、無線通信部１５０等の他の手段を用いて画像形成装置２００と通信する場合には、近距離無線通信部１３０の存在は必須ではない。
【００２１】
操作表示部１４０は、ユーザーに対する情報の出力やユーザーからの操作や情報入力を受け付けるユーザインタフェースの機能を担うデバイスである。この実施形態の例では、操作表示部１４０として、タッチパネルディスプレイが適用されるものとして説明するが、操作表示部１４０に適用するデバイスの種類は限定されないものである。
【００２２】
アプリケーション部１１０は、携帯端末１００上で動作するアプリケーションである。アプリケーション部１１０は、ユーザーの操作に応じて、画像形成装置２００に対して印刷ジョブに係る制御指示（例えば、印刷ジョブの中断や再開の指示）を行うことが可能なアプリケーションであるものとする。アプリケーション部１１０は、例えば、図示しないプロセッサ及びメモリを有するコンピュータ上にインストールされたアプリケーションプログラム（実施形態に係る情報処理プログラム）である。
【００２３】
アプリケーション部１１０は、機能的には中断ジョブ情報格納部１１１、印刷指示送信部１１２、及び印刷指示入力部１１３を有している。
【００２４】
中断ジョブ情報格納部１１１は、画像形成装置２００で印刷を中断している印刷ジョブの情報を格納するものである。
【００２５】
印刷指示送信部１１２は、ユーザーの操作に応じて、印刷ジョブの中断又は再開の指示を画像形成装置に送信するものである。
【００２６】
印刷指示入力部１１３は、操作表示部１４０を用いてユーザーからの印刷ジョブに関する入力指示を受け付ける処理を行う。印刷指示入力部１１３は、例えば、操作表示部１４０にユーザーからの入力指示を受け付けるための操作画面（ＧＵＩ画面）を表示させて、ユーザーからの入力指示を受け付ける処理を行う。
【００２７】
次に、画像形成装置２００の内部構成について説明する。
【００２８】
画像形成装置２００は、近距離無線通信部２０１、印刷ジョブリスト制御部２０２、印刷待ちジョブリスト格納部２０３、印刷待ちジョブデータ格納部２０４、保存ジョブリスト格納部２０５、保存ジョブデータ格納部２０６、印刷データ展開部２０７、印刷データ処理部２０８、印刷部２０９、通信部２１０、印刷ジョブ受信部２１１、及び操作パネル２１２を有している。
【００２９】
通信部２１０は、ネットワークＮに接続するためのネットワークインタフェースである。上述の通り画像形成装置２００は、ネットワークＮを経由してホスト端末３００と通信する。
【００３０】
近距離無線通信部２０１は、携帯端末１００等とＮＦＣ通信（近距離無線通信）するためのインタフェース（ＮＦＣリーダ）である。なお、上述の通り、携帯端末１００と画像形成装置２００との間は他の通信方式（通信経路）で通信するようにしても良い。
【００３１】
操作パネル２１２は、ユーザーに対する情報出力やユーザーからの入力操作を受け付けるためのユーザインタフェースを担うデバイスである。操作パネル２１２は、例えば、タッチパネルディスプレイ等を用いて実現するようにしてもよい。
【００３２】
印刷ジョブ受信部２１１は、ネットワークＮ（通信部２１０）を介してホスト端末３００から印刷ジョブ（印刷データ）を受信する処理を行う。印刷ジョブ受信部２１１は、印刷ジョブを受信すると、当該印刷ジョブ（印刷データ）に対してジョブＩＤ（印刷ジョブの識別情報）を付与する。そして、印刷ジョブ受信部２１１は、当該印刷ジョブの情報を印刷待ちジョブリスト格納部２０３に追加登録し、さらに当該印刷ジョブの印刷データを印刷待ちジョブデータ格納部２０４に格納する。
【００３３】
印刷待ちジョブリスト格納部２０３は、待機中（印刷待ち中）又は印刷中の印刷ジョブの情報のリスト（以下、「印刷待ちジョブリスト」と呼ぶ）を格納するものである。
【００３４】
印刷待ちジョブデータ格納部２０４は、印刷待ちジョブリスト格納部２０３に登録された印刷ジョブの印刷データ（印刷待ちの印刷ジョブに対応する印刷データ）を格納するものである。
【００３５】
図２は、印刷待ちジョブリストの構成例について示した説明図である。
【００３６】
図２に示す印刷待ちジョブリストには、各印刷ジョブについて、「Ｎｏ」、「ユーザーＩＤ」、「ジョブＩＤ」、及び「ステータス」を含む項目の情報が登録されている。
【００３７】
「Ｎｏ」の項目は、当該印刷ジョブを印刷する際の順序を示している。Ｎｏの値が小さいほど、印刷ジョブ実行の順序が先である（優先順位が高い）ことを示しているものとする。
【００３８】
「ユーザーＩＤ」の項目は当該印刷ジョブの所有者のユーザーＩＤ（当該印刷ジョブの印刷データに設定されていたユーザーＩＤ）を示している。
【００３９】
「ジョブＩＤ」の項目は、上述の印刷ジョブ受信部２１１により当該印刷ジョブに対して付与された識別情報である。
【００４０】
「ステータス」の項目は、当該印刷ジョブ（印刷データ）の実行状態について示している。例えば、印刷待ちジョブリストに登録された各印刷ジョブ（印刷データ）のステータスとしては、「印刷中」や「待機中」（印刷待ち中）が挙げられる。印刷ジョブ受信部２１１は、受信した印刷ジョブを印刷待ちジョブリストに登録する際、ステータスの初期値を待機中とする。
【００４１】
印刷ジョブリスト制御部２０２は、印刷ジョブ受信部２１１で受信され、印刷待ちジョブリスト格納部２０３の印刷待ちジョブリストに登録された印刷ジョブ（印刷データ）に関する制御を行う。また、印刷待ちジョブリスト格納部２０３は、近距離無線通信部２０１を介して、ユーザーの所持する携帯端末１００から印刷ジョブの制御に関する指示を受け付けて、当該指示に従って印刷ジョブの制御処理を行う。
【００４２】
まず、印刷ジョブリスト制御部２０２が行う通常の印刷ジョブの処理（携帯端末１００からの制御がない場合の印刷ジョブの処理）の概要について説明する。印刷ジョブリスト制御部２０２は、ステータスが待機中の印刷ジョブから所定のルール（例えば、Ｎｏの項目で示される順序）に従って、次に印刷を行う印刷ジョブを選択する。そして、印刷ジョブリスト制御部２０２は、選択した印刷ジョブの印刷データを印刷待ちジョブデータ格納部２０４に供給して印刷処理を依頼するとともに、当該印刷ジョブのステータス（印刷待ちジョブリストのステータス）を印刷中に変更する。
【００４３】
次に、印刷ジョブリスト制御部２０２が、携帯端末１００からの制御を受け付けた場合の処理について説明する。
【００４４】
印刷ジョブリスト制御部２０２は、携帯端末１００から、印刷待ちジョブリストでステータスが印刷中の印刷ジョブについて中断の指示を受け付けると、当該印刷ジョブについて中断し、当該印刷ジョブの印刷データを印刷待ちジョブデータ格納部２０４から取得し、暗号化して保存ジョブデータ格納部２０６に格納する。さらに、印刷ジョブリスト制御部２０２は、当該印刷ジョブの情報について、印刷待ちジョブリスト格納部２０３の印刷待ちジョブリストから削除し、保存ジョブリスト格納部２０５に格納されているリスト（以下、「保存ジョブリスト」と呼ぶ）に追加登録する。
【００４５】
保存ジョブデータ格納部２０６は、中断された印刷ジョブの印刷データ（暗号化された印刷データ）を格納（保存）するものである。
【００４６】
保存ジョブリスト格納部２０５は、保存ジョブデータ格納部２０６に格納（保存）されている印刷ジョブ（印刷データ）のリスト（保存ジョブリスト）を格納するものである。
【００４７】
この実施形態では、印刷ジョブリスト制御部２０２が印刷データを暗号化する際に、携帯識別ＩＤ（制御指示の送信元の携帯端末１００に係る携帯識別ＩＤ）に基づく一意のパスワードを生成して暗号化処理のキー情報（鍵情報）に適用する。この実施形態の例では、印刷ジョブリスト制御部２０２は、携帯識別ＩＤを示す文字列と、ジョブＩＤを示す文字列を含む情報（携帯識別ＩＤとジョブＩＤを連結した情報）をパスワード（キー情報）として生成するものとする。
【００４８】
図３は、保存ジョブリストの構成例について示した説明図である。
【００４９】
図３に示す保存ジョブリストには、保存ジョブデータ格納部２０６に格納されている各印刷ジョブ（印刷データ）について、「Ｎｏ」、「ユーザーＩＤ」、「キー情報」、「ジョブＩＤ」、及び「ステータス」を含む項目の情報が登録されている。
【００５０】
保存ジョブリストにおける「Ｎｏ」の項目は保存ジョブリスト上で印刷ジョブを管理するための番号である。また、印刷待ちジョブリストの項目に「キー情報」の項目が追加されている点で異なっている。キー情報の項目は、印刷ジョブリスト制御部２０２が当該印刷ジョブの印刷データを暗号化する際に用いられたキー情報（鍵情報）である。
【００５１】
印刷データ展開部２０７は、供給された印刷データに基づき、印刷部２０９で画像形成処理に適用可能な形式の画像データに展開処理して、印刷データ処理部２０８に供給する。
【００５２】
印刷データ処理部２０８は、印刷部２０９を制御して、印刷データ展開部２０７から供給された画像データに基づく画像を媒体に印刷する制御処理（画像形成させる処理）を行う。
【００５３】
印刷部２０９は、印刷データ処理部２０８の制御に従って、媒体に印刷（画像形成処理）を行うものである。
【００５４】
以上のように、画像形成装置２００では、印刷データ展開部２０７、印刷データ処理部２０８、及び印刷部２０９により、媒体に印刷（画像形成処理）を行う画像形成手段が構成されている。また、画像形成装置２００では、印刷ジョブリスト制御部２０２、印刷待ちジョブリスト格納部２０３、印刷待ちジョブデータ格納部２０４、保存ジョブリスト格納部２０５、及び保存ジョブデータ格納部２０６により、印刷ジョブ（印刷データ）を管理する管理手段が構成されている。さらに、画像形成装置２００では、印刷ジョブリスト制御部２０２により、印刷ジョブ（印刷データを用いた印刷処理）の実行を制御する制御手段と、印刷中断処理の受付を行う中断受付手段と、印刷再開処理の受付を行う再開受付手段が構成されている。
【００５５】
（Ａ−２）実施形態の動作
次に、以上のような構成を有するこの実施形態の画像形成システム１の動作を説明する。
【００５６】
図３は、この実施形態における画像形成システム１の動作の例について示したシーケンス図である。
【００５７】
図３では、画像形成装置２００において、携帯端末１００からの指示に応じ、印刷ジョブの中断（印刷中断処理）及び再開（印刷再開処理）が行われる場合の動作概要の例について示している。
【００５８】
図３のシーケンス図の処理の前提として、上述の通り、携帯端末１００及びホスト端末３００−１をＵｓｅｒＡが使用し、ホスト端末３００−２をＵｓｅｒＢが使用するものとして説明する。
【００５９】
まず、ＵｓｅｒＡの操作に応じてホスト端末３００−１が、画像形成装置２００に印刷ジョブ（所有者をＵｓｅｒＡとする印刷ジョブ）を送信（印刷データを送信して印刷を依頼）したものとする（Ｓ−１００）。
【００６０】
画像形成装置２００は、印刷ジョブ（印刷データ）を受信し、受信した印刷ジョブ（印刷データ）に基づいた印刷を開始することになる（Ｓ−３００）。
【００６１】
このとき、画像形成装置２００では、印刷ジョブ受信部２１１により印刷ジョブ（印刷データ）が受信される。そして、印刷ジョブ受信部２１１は、受信した印刷ジョブの印刷データを印刷待ちジョブデータ格納部２０４に格納すると共に印刷待ちジョブリスト格納部２０３の印刷待ちジョブリストに当該印刷ジョブの情報を追加する。このとき、印刷ジョブ受信部２１１は、当該印刷ジョブについて「ｘｘｘｘ」というジョブＩＤを付与したものとする。また、このとき印刷ジョブ受信部２１１は、当該印刷ジョブのステータスの初期値として待機中を設定する。そして、その後、印刷ジョブリスト制御部２０２により、当該印刷ジョブ（ＵｓｅｒＡの印刷ジョブ）について印刷開始が判断されて当該印刷ジョブの印刷データが印刷データ展開部２０７に供給されたものとする。これにより、印刷データ処理部２０８により印刷部２０９を用いた印刷処理が開始されることになる。また、印刷ジョブリスト制御部２０２は、印刷開始と同時に、当該印刷ジョブについて、印刷待ちジョブリストのステータスを印刷中に変更する。
【００６２】
このとき印刷待ちジョブリスト格納部２０３に格納される印刷待ちジョブリストが、図２の状態であったものとして以下の説明を行う。図２では、ジョブＩＤがｘｘｘｘの印刷ジョブ（ユーザＩＤがＵｓｅｒＡの印刷ジョブ）のステータスが「印刷中」となっている。また、図２の印刷待ちジョブリストでは、ＵｓｅｒＢをユーザーＩＤとする２つの印刷ジョブ（ジョブＩＤが「ｙｙｙｙ」、「ｚｚｚｚ」の印刷ジョブ）が待機中となっている。このように、印刷ジョブ受信部２１１は、受信した印刷ジョブを順番に印刷ジョブリストに登録する。
【００６３】
そして、ここでは、ＵｓｅｒＡは画像形成装置２００の前で自分が実行した印刷（印刷ジョブ）が完了するのを待っている状況を想定する。そして、ＵｓｅｒＡが、当該印刷ジョブの印刷が完了する前に、急な用事等により画像形成装置２００の前から離れる必要が生じたものとする。このとき、画像形成装置２００では、ＵｓｅｒＡの所持する携帯端末１００から、以下のような指示（ＵｓｅｒＡの操作に応じた指示）を受け付けることで、印刷中の印刷ジョブの中断を行うことが可能である。これにより、画像形成装置２００では、ＵｓｅｒＡが周辺にいない状態で当該印刷ジョブの印刷を続行することを抑制し、画像形成装置２００で当該印刷ジョブの印刷による印刷物が放置されることを防ぐことができる。
【００６４】
次に、ＵｓｅｒＡの操作に応じて生成されたジョブＩＤ「ｘｘｘｘ」の印刷ジョブがＵｓｅｒＡの操作に応じて印刷中断処理されるまでの動作例について説明する。図３において、ステップＳ−１０１、Ｓ−１０２、Ｓ−２００〜Ｓ−２０２、Ｓ−３０１〜Ｓ−３０３は、画像形成システム１（画像形成装置２００）における印刷中断処理の動作例について示している。
【００６５】
次に、ジョブＩＤｘｘｘｘの印刷ジョブ（ＵｓｅｒＡの印刷ジョブ）の印刷中に、画像形成装置２００の前から離れる必要の生じたＵｓｅｒＡが、携帯端末１００を画像形成装置２００の近距離無線通信部２０１にかざし（近づけ）（Ｓ−１０１）、画像形成装置２００（近距離無線通信部２０１）と携帯端末１００（近距離無線通信部１３０）との間でＮＦＣ通信（近距離無線通信）が確立されたものとする（Ｓ−２００）。
【００６６】
画像形成装置２００との間でＮＦＣ通信が確立すると、携帯端末１００のアプリケーション部１１０（印刷指示入力部１１３）は、中断ジョブ情報格納部１１１を参照して、印刷中断処理されたままの印刷ジョブの有無（印刷中断処理後、再開されていない印刷ジョブの有無）を確認する。この時点では、中断ジョブ情報格納部１１１には、印刷中断処理されたままの印刷ジョブの情報は存在しないため、携帯端末１００のアプリケーション部１１０（印刷指示入力部１１３）は、印刷中断処理されたままの印刷ジョブは存在しないと判断することになる。印刷中断処理されたままの印刷ジョブが存在しない場合、携帯端末１００のアプリケーション部１１０（印刷指示送信部１１２）が、端末情報格納部１２０に格納されているユーザーＩＤ（ＵｓｅｒＡ）と携帯識別ＩＤ（１２３４−５６７８）を画像形成装置２００に送信する。
【００６７】
そして、画像形成装置２００の印刷ジョブリスト制御部２０２が、近距離無線通信部２０１を介して、端末情報格納部１２０から送信されたユーザーＩＤ（ＵｓｅｒＡ）及び携帯識別ＩＤ（１２３４−５６７８）を取得すると、印刷待ちジョブリスト格納部２０３の印刷待ちジョブリストを参照し、取得したユーザーＩＤ（ＵｓｅｒＡ）で印刷中の印刷ジョブの有無を判断する（Ｓ−３０１）。
【００６８】
このとき、画像形成装置２００の印刷ジョブリスト制御部２０２は、印刷待ちジョブリストに、当該ユーザーＩＤ（ここではＵｓｅｒＡ）で印刷中の印刷ジョブが存在する場合にはその印刷ジョブのジョブＩＤを携帯端末１００に返答する。また、画像形成装置２００の印刷ジョブリスト制御部２０２は、該当する印刷ジョブが存在しない場合には、例えば、そのまま処理を終了するようにしてもよいし、該当する印刷ジョブが存在しない旨を示す通知（例えば、所定のコードやメッセージ）を、携帯端末１００に返答するようにしても良い。
【００６９】
上述の通り、この時点で、印刷待ちジョブリストの内容は、上述の図２のような内容となっているので、画像形成装置２００の印刷ジョブリスト制御部２０２は、ＵｓｅｒＡの印刷中の印刷ジョブが存在するものと判断することになる。
【００７０】
したがって、ここでは、画像形成装置２００の印刷ジョブリスト制御部２０２は、携帯端末１００に対して、ＵｓｅｒＡの印刷中の印刷ジョブに対応するジョブＩＤとして「ｘｘｘｘ」を返答することになる（Ｓ−３０２）。
【００７１】
そして、携帯端末１００のアプリケーション部１１０（印刷指示入力部１１３）は、ジョブＩＤ（ｘｘｘｘ）を受信すると、ユーザーから当該印刷ジョブの印刷を中断するか否かの指示を受け付ける処理を行う（Ｓ−２０１）。
【００７２】
この実施形態では、アプリケーション部１１０（印刷指示入力部１１３）は、ジョブＩＤ（ｘｘｘｘ）を受信すると、当該印刷ジョブの印刷を中断するか否かの指示を受け付ける操作画面（以下、「印刷中断指示画面」と呼ぶ）を操作表示部１４０に表示させる処理を行う。
【００７３】
図５は、印刷中断指示画面の構成例について示した説明図である。
【００７４】
図５に示す印刷中断指示画面では、中断対象の印刷ジョブのジョブＩＤ（ｘｘｘｘ）と、印刷中のジョブを中断するかどうかを確認するメッセージ（「印刷中のジョブを中断しますか？」というメッセージ）と、印刷中断を行うことを受け付けるためのボタンＢ１０１（「はい」と表示されたボタン）と、印刷中断を行わないことを受け付けるためのボタンＢ１０２（「いいえ」と表示されたボタン）とが表示されている。図５に示す印刷中断指示画面で、印刷中断を行うことを受け付けるためのボタンＢ１０１が押下されると、アプリケーション部１１０（印刷指示入力部１１３）は、印刷ジョブ（印刷中断指示画面で表示されたジョブＩＤの印刷ジョブ）の中断を受け付けることになる。なお、ここでは、印刷中断指示画面でジョブＩＤを表示するものとして説明するが、画像形成装置２００から携帯端末１００にジョブＩＤとともにジョブ名（例えば、印刷ジョブに係るファイル名等）を送信して、ジョブ名を印刷中断指示画面に表示するようにしてもよい。
【００７５】
一方、図５に示す印刷中断指示画面で、印刷中断を行わないことを受け付けるためのボタンＢ１０２が押下されると、アプリケーション部１１０（印刷指示入力部１１３）は、例えば、そのまま処理を終了するようにしてもよいし、印刷中断を行わないことを画像形成装置２００に通知するようにしてもよい。
【００７６】
ここでは、印刷中断指示画面で、ＵｓｅｒＡにより、印刷中断を行うことを受け付けるためのボタンＢ１０１が押下され、アプリケーション部１１０（印刷指示入力部１１３）は、印刷中断の指示を受け付けたのものとする（Ｓ−１０２）。このとき、携帯端末１００のアプリケーション部１１０（印刷指示入力部１１３）は、印刷中断指示した印刷ジョブの情報（例えば、ジョブＩＤを含む情報）を、中断ジョブ情報格納部１１１に格納する。
【００７７】
次に、携帯端末１００のアプリケーション部１１０（印刷指示送信部１１２）は、印刷中断指示を受け付けたことを、近距離無線通信部１３０を介して画像形成装置２００に送信（ＮＦＣ通信により送信）する（Ｓ−２０２）。
【００７８】
次に、印刷中断指示を受けた画像形成装置２００（印刷ジョブリスト制御部２０２）は、印刷中断指示に係る印刷ジョブ（この場合、ステップＳ−３０２で送信したジョブＩＤの印刷ジョブ）を中断する制御処理を行う。そして、画像形成装置２００（印刷ジョブリスト制御部２０２）は、印刷中断指示に係る印刷ジョブ（印刷データ）を保存する処理を行う（Ｓ−３０３）。
【００７９】
このとき、画像形成装置２００（印刷ジョブリスト制御部２０２）は、保存処理対象に係る印刷ジョブ（印刷中断指示に係る印刷ジョブ）に対して、例えば、以下のような処理を行う。画像形成装置２００（印刷ジョブリスト制御部２０２）は、保存処理対象に係る印刷ジョブ（印刷中断指示に係る印刷ジョブ）の印刷データを印刷待ちジョブデータ格納部２０４から読み込んで暗号化し、保存ジョブデータ格納部２０６に保存（格納）する。また、画像形成装置２００（印刷ジョブリスト制御部２０２）は、保存処理対象に係る印刷ジョブの情報を保存ジョブリスト格納部２０５の保存ジョブリストに保存する処理を行う。さらに、画像形成装置２００（印刷ジョブリスト制御部２０２）は、保存処理対象に係る印刷ジョブの情報を印刷待ちジョブリスト格納部２０３の印刷待ちジョブリストから削除し、当該印刷ジョブの印刷データを印刷待ちジョブデータ格納部２０４から削除する処理を行う。なお、このとき、画像形成装置２００（印刷ジョブリスト制御部２０２）は、保存処理対象に係る印刷ジョブ（印刷中断指示に係る印刷ジョブ）の印刷データを暗号化する際のキー情報として、携帯端末１００から受信した携帯端末ＩＤと保存処理対象の印刷ジョブのジョブＩＤを連結した文字列を用いるものとする。例えば、携帯端末１００の携帯端末ＩＤが「１２３４−５６７８」で、印刷中断指示に係る印刷ジョブのジョブＩＤが「ｘｘｘｘ」の場合、パスワードは（キー情報）は、「１２３４−５６７８−ｘｘｘｘ」となるものとする。このとき、上述のような保存処理を行った結果、保存ジョブリスト格納部２０５の保存ジョブリストは、上述の図３のような内容となる。図３では、保存対象となる印刷ジョブ（ジョブＩＤが「ｘｘｘｘ」の印刷ジョブ）のキー情報が「１２３４−５６７８−ｘｘｘｘ」、ユーザーＩＤが「ＵｓｅｒＡ」、ステータスが「暗号化保存中」となっている。
【００８０】
なお、印刷データを暗号化するキー情報は、少なくとも携帯端末ＩＤに基づく情報であればよい。例えば、キー情報は、携帯端末ＩＤの情報だけで構成するようにしてもよいし、携帯端末ＩＤにその他の任意の情報を連結した情報としてもよい。
【００８１】
以上のように、画像形成装置２００では、印刷中断処理が行われる。
【００８２】
次に、画像形成システム１における印刷再開処理の動作例について説明する。図３において、ステップＳ−１０３、Ｓ−１０４、Ｓ−２０３〜Ｓ−２０５、Ｓ−３０４は、画像形成システム１における印刷中断処理の動作例について示している。
【００８３】
以下では、上述のステップＳ−３０３までの処理で印刷中断処理されたジョブＩＤ「ｘｘｘｘ」の印刷ジョブがＵｓｅｒＡの操作に応じて再開するまでの処理の例について説明する。
【００８４】
ここでは、ステップＳ−３０３の後、ＵｓｅｒＡが画像形成装置２００の前を離れ、その後戻ってきた場合を想定する。このとき、ＵｓｅｒＡにより、携帯端末１００が画像形成装置２００の近距離無線通信部２０１にかざされ（近づけられ）（Ｓ−１０３）、画像形成装置２００と携帯端末１００との間でＮＦＣ通信が確立されたものとする（Ｓ−２０３）。
【００８５】
画像形成装置２００との間でＮＦＣ通信が確立すると、携帯端末１００のアプリケーション部１１０（印刷指示入力部１１３）は、中断ジョブ情報格納部１１１を参照して、印刷中断処理されたままの印刷ジョブの有無（印刷中断処理後、再開されていない印刷ジョブの有無）を確認する。この時点では、中断ジョブ情報格納部１１１には、上述のステップＳ−２０２の処理により、ジョブＩＤ「ｘｘｘｘ」の印刷ジョブの情報が残っているため、携帯端末１００のアプリケーション部１１０（印刷指示入力部１１３）は、印刷中断処理されたままの印刷ジョブは存在すると判断することになる。印刷中断処理されたままの印刷ジョブが存在する場合、携帯端末１００のアプリケーション部１１０（印刷指示入力部１１３）は、ユーザーから当該印刷ジョブの印刷を再開するか否かの指示を受け付ける処理を行う（Ｓ−２０４）。
【００８６】
この実施形態では、アプリケーション部１１０（印刷指示入力部１１３）は、画像形成装置２００とのＮＦＣ通信時に印刷中断処理されたままの印刷ジョブが存在する場合、当該印刷ジョブの印刷を再開するか否かの指示を受け付ける操作画面（以下、「印刷再開指示画面」と呼ぶ）を操作表示部１４０に表示させる処理を行う。
【００８７】
図６は、印刷再開指示画面の構成例について示した説明図である。
【００８８】
図６に示す印刷再開指示画面では、再開対象の印刷ジョブのジョブＩＤ（ｘｘｘｘ）と、「印刷を再開しますか？」というメッセージと、印刷再開を行うことを受け付けるためのボタンＢ２０１（「はい」と表示されたボタン）と、印刷再開を行わないことを受け付けるためのボタンＢ２０２（「いいえ」と表示されたボタン）とが表示されている。図６に示す印刷再開指示画面で、印刷再開を行うことを受け付けるためのボタンＢ２０１が押下されると、アプリケーション部１１０（印刷指示入力部１１３）は、印刷ジョブ（印刷再開指示画面で表示されたジョブＩＤの印刷ジョブ）の再開を受け付けることになる。一方、図６に示す印刷再開指示画面で、印刷再開を行わないことを受け付けるためのボタンＢ２０２が押下された場合、アプリケーション部１１０（印刷指示入力部１１３）は、例えば、そのまま印刷再開に係る処理を終了するようにしても良いし、印刷再開を行わないことを画像形成装置２００に通知するようにしてもよい。
【００８９】
ここでは、印刷再開指示画面で、ＵｓｅｒＡにより、印刷再開を行うことを受け付けるためのボタンＢ２０１が押下され、アプリケーション部１１０（印刷指示入力部１１３）は、印刷再開の指示を受け付けたのものとする（Ｓ−１０４）。
【００９０】
印刷再開指示を受け付けると、アプリケーション部１１０（印刷指示送信部１１２）は、画像形成装置２００に対して、印刷再開処理を要求すると共に、印刷再開処理に係る印刷ジョブの情報を送信する（Ｓ−２０５）。
【００９１】
このとき、アプリケーション部１１０（印刷指示送信部１１２）は、画像形成装置２００に対して、印刷再開処理に係る印刷ジョブの情報として、ジョブＩＤ（ｘｘｘｘ）、ユーザーＩＤ（ＵｓｅｒＡ）、及び携帯識別ＩＤ（１２３４−５６７８）を送信するものとする。
【００９２】
そして、画像形成装置２００の印刷ジョブリスト制御部２０２が、近距離無線通信部２０１を介して、端末情報格納部１２０から印刷再開指示を受信すると、保存ジョブリスト格納部２０５の保存ジョブリストを参照して、当該印刷再開指示に係る印刷ジョブが保存されているか否かを確認し、該当する印刷ジョブが保存されている場合、当該印刷ジョブを再開する処理を行う（Ｓ−３０４）。
【００９３】
画像形成装置２００（印刷ジョブリスト制御部２０２）は、印刷再開対象に係る印刷ジョブ（印刷データ）を再開する処理として、例えば、以下のような処理を行う。画像形成装置２００（印刷ジョブリスト制御部２０２）は、保存処理対象に係る印刷ジョブ（印刷中断指示に係る印刷ジョブ）の印刷データ（暗号化された印刷データ）を、保存ジョブデータ格納部２０６から読み込んで復号し、印刷待ちジョブデータ格納部２０４に格納する。なお、画像形成装置２００（印刷ジョブリスト制御部２０２）は、再開処理対象に係る印刷ジョブ（印刷中断指示に係る印刷ジョブ）の印刷データを復号する際に、暗号化する際と同様に受信した携帯識別ＩＤとジョブＩＤに基づいてキー情報（復号鍵）を生成して復号するようにしてもよいし、保存ジョブリスト格納部２０５の保存ジョブリストに登録されているキー情報を用いて復号するようにしても良い。また、画像形成装置２００（印刷ジョブリスト制御部２０２）は、再開処理対象に係る印刷ジョブの情報を印刷待ちジョブリスト格納部２０３の印刷待ちジョブリストに追加する処理を行う。さらに、画像形成装置２００（印刷ジョブリスト制御部２０２）は、再開処理対象に係る印刷ジョブの情報を保存ジョブリスト格納部２０５の保存ジョブリストから削除し、当該印刷ジョブの印刷データを保存ジョブデータ格納部２０６から削除する処理を行う。
【００９４】
このとき、上述のような保存処理を行った結果、印刷待ちジョブリスト格納部２０３の印刷待ちジョブリストは、例えば、上述の図２のような内容に戻ることになる。
【００９５】
次に、上述の図３の処理における携帯端末１００の詳細動作について図７のフローチャートを用いて説明する。
【００９６】
ここでは、まず、ＵｓｅｒＡにより、携帯端末１００が画像形成装置２００の近距離無線通信部２０１にかざされ（近づけられ）、画像形成装置２００（近距離無線通信部２０１）と携帯端末１００（近距離無線通信部１３０）との間でＮＦＣ通信（近距離無線通信）が確立されたものとする（Ｓ−４００）。
【００９７】
画像形成装置２００との間でＮＦＣ通信が確立すると、携帯端末１００のアプリケーション部１１０（印刷指示入力部１１３）は、中断ジョブ情報格納部１１１を参照して、印刷中断処理されたままの印刷ジョブの有無（印刷中断処理後、再開されていない印刷ジョブの有無）を確認する（Ｓ−４０１）。
【００９８】
携帯端末１００は、印刷中断処理されたままの印刷ジョブが存在しない場合は、後述するステップＳ−４０２から動作し、そうでない場合は後述するステップＳ−４０９から動作する。
【００９９】
印刷中断処理されたままの印刷ジョブが存在しない場合、携帯端末１００のアプリケーション部１１０（印刷指示送信部１１２）は、端末情報格納部１２０に格納されているユーザーＩＤと携帯識別ＩＤを画像形成装置２００に送信し（Ｓ−４０２）、画像形成装置２００からの返答内容に応じて自装置（ＵｓｅｒＡ）に係る印刷ジョブ（ＵｓｅｒＡの印刷ジョブ）が印刷中であるか否かを確認する（Ｓ−４０３）。携帯端末１００は、自装置（ＵｓｅｒＡ）に係る印刷ジョブが印刷中でない場合当該フローチャートの処理を終了し、自装置に係る印刷ジョブが印刷中である場合後述するステップＳ−４０４から動作する。
【０１００】
例えば、携帯端末１００のアプリケーション部１１０（印刷指示送信部１１２）は、画像形成装置２００から、印刷中の印刷ジョブのジョブＩＤを受信した場合、自装置に係る印刷ジョブ（ＵｓｅｒＡの印刷ジョブ）が印刷中であると判断し、そうでない場合（例えば、印刷中の印刷ジョブがない旨の通知を受信した場合）、自装置に係る印刷ジョブ（ＵｓｅｒＡの印刷ジョブ）が印刷中でないと判断することができる。
【０１０１】
自装置（ＵｓｅｒＡ）に係る印刷ジョブが印刷中である場合、アプリケーション部１１０（印刷指示送信部１１２）は、画像形成装置２００から受信した印刷ジョブのジョブＩＤを取得する（Ｓ−４０４）。
【０１０２】
次に、アプリケーション部１１０（印刷指示入力部１１３）は、当該印刷ジョブの中断指示を受け付けるための印刷中断指示画面（上述の図５参照）を操作表示部１４０に表示させ（Ｓ−４０５）、ユーザーからの指示を受け付ける（Ｓ−４０６）。アプリケーション部１１０は、ユーザーから印刷中断を行う旨を受け付けた場合後述するステップＳ−４０７から動作し、ユーザーから印刷中断を行わない旨を受け付けた場合、当該フローチャートの処理を終了する。
【０１０３】
印刷中断指示画面で、印刷中断を行う旨を受け付けた場合、アプリケーション部１１０（印刷指示入力部１１３）は、中断する印刷ジョブの情報（少なくともジョブＩＤを含む情報）を中断ジョブ情報格納部１１１に格納する（Ｓ−４０７）。
【０１０４】
次に、印刷指示送信部１１２は、画像形成装置２００に印刷中断指示を送信し（Ｓ−４０８）、当該フローチャートの処理を終了する。
【０１０５】
一方、上述のステップＳ−４０１で、印刷中断処理されたままの印刷ジョブが存在する場合、アプリケーション部１１０（印刷指示入力部１１３）は、印刷中断処理されたままの印刷ジョブの再開を行うか否かを受け付けるための印刷再開指示画面（上述の図６参照）を操作表示部１４０に表示させ（Ｓ−４０９）、ユーザーからの指示を受け付ける（Ｓ−４１０）。アプリケーション部１１０は、ユーザーから印刷再開を行う旨を受け付けた場合後述するステップＳ−４１０から動作し、ユーザーから印刷再開を行わない旨を受け付けた場合、当該フローチャートの処理を終了する。
【０１０６】
印刷再開指示画面で、印刷再開を行う旨を受け付けた場合、アプリケーション部１１０（印刷指示入力部１１３）は、画像形成装置２００に対して、印刷再開処理を要求すると共に、印刷再開処理に係る印刷ジョブの情報を送信する（Ｓ−４１１）。このとき、アプリケーション部１１０（印刷指示送信部１１２）は、画像形成装置２００に対して、印刷再開処理に係る印刷ジョブの情報として、ジョブＩＤ、ユーザーＩＤ、及び携帯識別ＩＤを送信する。
【０１０７】
次に、上述の図３の処理における画像形成装置２００の詳細動作について図８のフローチャートを用いて説明する。
【０１０８】
まず、画像形成装置２００で、携帯端末１００が近距離無線通信部２０１に近づけられ、携帯端末１００との間でＮＦＣ通信が開始し、画像形成装置２００（印刷ジョブリスト制御部２０２）が、携帯端末１００からデータ受信したものとする（Ｓ−５００）。
【０１０９】
携帯端末１００から印刷再開処理の要求が送信された場合、画像形成装置２００（印刷ジョブリスト制御部２０２）が携帯端末１００から受信するデータには、ユーザーＩＤ、携帯識別ＩＤ、及びジョブＩＤ（携帯端末１００の中断ジョブ情報格納部１１１で格納されていたジョブＩＤ）が含まれる。一方、携帯端末１００から印刷中断処理の要求が送信された場合、画像形成装置２００（印刷ジョブリスト制御部２０２）が携帯端末１００から受信するデータには、ユーザーＩＤ、及び携帯識別ＩＤが含まれるが、ジョブＩＤは含まれない。このように、画像形成装置２００（印刷ジョブリスト制御部２０２）では、携帯端末１００から受信したデータに含まれるデータの項目で、携帯端末１００から要求された処理の内容を把握することもできる。なお、画像形成装置２００（印刷ジョブリスト制御部２０２）は、携帯端末１００から、直接的に印刷中断処理又は印刷再開処理を示す通知（例えば、所定のコードやメッセージ）を受信することで、携帯端末１００から要求された処理の内容を認識するようにしても良い。
【０１１０】
次に、画像形成装置２００（印刷ジョブリスト制御部２０２）は、携帯端末１００から受信したデータにジョブＩＤが含まれるか否かを確認し（Ｓ−５０１）、ジョブＩＤが含まれる場合には携帯端末１００からの要求を印刷再開処理と認識して後述のステップＳ−５０９に移行し、ジョブＩＤが含まれない場合には携帯端末１００からの要求を印刷中断処理と認識して後述のステップＳ−５０２に移行する。
【０１１１】
携帯端末１００から受信したデータにジョブＩＤが含まれていなかった場合（携帯端末１００から印刷中断指示を受信した場合）、画像形成装置２００（印刷ジョブリスト制御部２０２）は、印刷ジョブリスト制御部２０２の印刷ジョブリストを参照（印刷中の印刷ジョブを確認）し、取得したユーザーＩＤで印刷中の印刷ジョブ（ステータスが印刷中の印刷ジョブ）の有無を確認する（Ｓ−５０２）。画像形成装置２００（印刷ジョブリスト制御部２０２）は、取得したユーザーＩＤで印刷中の印刷ジョブがあった場合後述するステップＳ−５０３に移行し、そうでない場合は本フローチャートの処理を終了する。
【０１１２】
取得したユーザーＩＤで印刷中の印刷ジョブがあった場合、画像形成装置２００（印刷ジョブリスト制御部２０２）は、当該印刷ジョブのジョブＩＤを取得して、ＮＦＣ通信中の携帯端末１００に送信し（Ｓ−５０３）、携帯端末１００からの返答（印刷中断指示）を待つ（Ｓ−５０４）。画像形成装置２００（印刷ジョブリスト制御部２０２）は、携帯端末１００から印刷中断指示があった場合、後述するステップＳ−５０５から動作し、携帯端末１００からの印刷中断指示がない場合（例えば、所定時間内に携帯端末１００から印刷中断指示がない場合等）には、本フローチャートの処理を終了する。
【０１１３】
携帯端末１００から印刷中断指示があった場合、画像形成装置２００（印刷ジョブリスト制御部２０２）は、印刷データ展開部２０７及び印刷データ処理部２０８を制御して、印刷中のページを排紙させてから、印刷中の印刷ジョブを中断させる（Ｓ−５０５）。
【０１１４】
次に、画像形成装置２００（印刷ジョブリスト制御部２０２）は、ステップＳ−５００で取得した携帯識別ＩＤとジョブＩＤを元にパスワードを生成し（Ｓ−５０６）、このパスワードをキー情報として、中断した印刷ジョブの印刷データを暗号化（印刷待ちジョブデータ格納部２０４から取得して暗号化）して、保存ジョブデータ格納部２０６に保存する（Ｓ−５０７）。また、このとき、画像形成装置２００（印刷ジョブリスト制御部２０２）は、保存した印刷ジョブの情報を保存ジョブリスト格納部２０５の保存ジョブリストに登録する。なお、このとき、画像形成装置２００（印刷ジョブリスト制御部２０２）は、保存対象の印刷ジョブの印刷データから印刷が完了していない残りのページのデータのみを暗号化して保存するようにしても良いし、全ページ分の印刷データを暗号化して保存し、何ページまで印刷完了したかという情報をあわせて保持（例えば保存ジョブリストに登録して保持）するようにしても良い。
【０１１５】
印刷データの保存が完了すると、画像形成装置２００（印刷ジョブリスト制御部２０２）は、印刷待ちジョブリスト格納部２０３の印刷ジョブリストから、保存した印刷ジョブの情報を削除し、さらに、印刷待ちジョブデータ格納部２０４から保存した印刷ジョブの印刷データを削除して（Ｓ−５０８）、本フローチャートの処理を終了し、後続の印刷待ちの印刷ジョブ（印刷待ちジョブリストでステータスが印刷待ちの印刷ジョブ）の印刷処理に移行することになる。このとき、後続する印刷ジョブが存在しない場合、画像形成装置２００（印刷ジョブリスト制御部２０２）は、印刷データ展開部２０７に展開中の印刷ジョブのデータ（直前に保存した印刷ジョブのデータ）をそのままにしておき、次回に印刷再開にかかる時間の短縮を行うようにしても良い。また、画像形成装置２００（印刷ジョブリスト制御部２０２）は、直前に保存した印刷ジョブの印刷再開が始まる前に、次の印刷ジョブの受信があった場合、その時点で印刷データ展開部２０７から印刷中ジョブのデータを破棄して後続の印刷ジョブの印刷を行うようにしても良い。
【０１１６】
一方、上述のステップＳ−５０１で、携帯端末１００から受信したデータにジョブＩＤが含まれていた場合（携帯端末１００から印刷再開指示を受信した場合）、画像形成装置２００（印刷ジョブリスト制御部２０２）は、携帯端末１００から受信した携帯識別ＩＤ及びジョブＩＤを用いてパスワードを生成する（Ｓ−５０９）。
【０１１７】
次に、画像形成装置２００（印刷ジョブリスト制御部２０２）は、保存ジョブリスト格納部２０５の保存ジョブリストから、携帯端末１００から受信したジョブＩＤの印刷ジョブ（印刷再開処理に係る印刷ジョブ）を検索し（Ｓ−５１０）、該当する印刷ジョブが保存されているいか否かを確認する（Ｓ−５１１）。画像形成装置２００（印刷ジョブリスト制御部２０２）は、該当する印刷ジョブが保存されていると確認された場合後述するステップＳ−５１２から動作し、そうでない場合は本フローチャートの処理を終了する。
【０１１８】
上述のステップＳ−５１１で、該当する印刷ジョブが保存されていると確認された場合、画像形成装置２００（印刷ジョブリスト制御部２０２）は、ステップＳ−５０９で生成したパスワードをキー情報（復号鍵）として、当該印刷ジョブの印刷データ（保存ジョブデータ格納部２０６に格納されている暗号化された印刷データ）を復号して、当該印刷ジョブの再開処理を行い（Ｓ−５１２）、本フローチャートの処理を終了する。
【０１１９】
また、画像形成装置２００（印刷ジョブリスト制御部２０２）は、再開処理対象に係る印刷ジョブの情報を印刷待ちジョブリスト格納部２０３の印刷待ちジョブリストに戻す処理を行う。さらに、画像形成装置２００（印刷ジョブリスト制御部２０２）は、再開処理対象に係る印刷ジョブの情報を保存ジョブリスト格納部２０５の保存ジョブリストから削除し、当該印刷ジョブの印刷データを保存ジョブデータ格納部２０６から削除する処理を行う。なお、このとき、画像形成装置２００（印刷ジョブリスト制御部２０２）は、印刷再開処理を行った印刷ジョブを印刷待ちジョブリストに戻す位置（印刷を開始する順序）は限定されないものである。例えば、画像形成装置２００（印刷ジョブリスト制御部２０２）は、印刷再開処理を行った印刷ジョブを、印刷待ちジョブリストの最後尾に配置するようにしてもよいし、印刷中の印刷ジョブの次の順序に配置するようにしてもよいし、印刷中の印刷ジョブを中断しして割り込ませるようにしてもよい。
【０１２０】
（Ａ−３）実施形態の効果
この実施形態によれば、以下のような効果を奏することができる。
【０１２１】
画像形成装置２００では、印刷形式によらず印刷中の印刷ジョブの印刷データを暗号化して保存することで、セキュリティを維持した印刷中断と印刷再開を実現することができる。
【０１２２】
また、画像形成装置２００では、携帯端末１００の携帯識別ＩＤとジョブＩＤを暗号化及び復号のキー情報として、印刷データの保存を行うことで、印刷中断と印刷再開にかかるユーザーの手間（例えば、パスワードの入力等）を減らすことができるという効果を奏する。
【０１２３】
（Ｂ）他の実施形態
本発明は、上記の実施形態に限定されるものではなく、以下に例示するような変形実施形態も挙げることができる。
【０１２４】
（Ｂ−１）上記の実施形態において、画像形成装置２００は、印刷中断指示を受け付ける際、印刷中の印刷ジョブの中断のみを行うが、印刷中の印刷ジョブと同じユーザーＩＤの待機中の印刷ジョブも同時に保存するようにしてもよい。
【０１２５】
例えば、図９に示すように、印刷待ちジョブリストで、ＵｓｅｒＡの印刷中の印刷ジョブ（ジョブＩＤ：ｘｘｘｘ）と待機中の印刷ジョブ（ジョブＩＤ：ｚｚｚｚ）が存在する場合を想定する。
【０１２６】
この場合、画像形成装置２００は、上述の図５のフローチャートで印刷中の印刷ジョブ（ジョブＩＤ：ｘｘｘｘ）を中断する処理（ステップＳ−５０５〜Ｓ−５０８）を行う際に、印刷中の印刷ジョブと同じユーザーＩＤ（ＵｓｅｒＡ）の待機中の印刷ジョブ（ジョブＩＤ：ｚｚｚｚ）も同時に保存するようにしてもよい。この際、画像形成装置２００は、キー情報として、携帯端末ＩＤとジョブＩＤで作成するため、それぞれの印刷ジョブで異なるキー情報を用いた暗号化を行うことになる。この場合、２つの印刷ジョブ（ジョブＩＤ：ｘｘｘｘ、ｚｚｚｚ）を保存した結果、保存ジョブリストの内容は、図１０のような内容となる。図１０では、ジョブＩＤがｘｘｘｘの印刷ジョブと、ジョブＩＤがｚｚｚｚの印刷ジョブが保存中（暗号化保存中）であることを示している。
【０１２７】
また、この場合、画像形成装置２００（印刷ジョブリスト制御部２０２）は、上述の図５のフローチャートで携帯端末１００にジョブＩＤを送信する処理（ステップＳ−５０３）において、２つのジョブＩＤ（ジョブＩＤ：ｘｘｘｘ、ｚｚｚｚ）を送信することになる。
【０１２８】
そして、このとき、携帯端末１００で表示される印刷中断指示画面においても、図１１に示すように、印刷中断指示対象の印刷ジョブ（ジョブＩＤ）が２つ表示されることになる。これにより、ユーザーに、２つの印刷ジョブに対する印刷中断指示を行うか否かを判断させることができる。図１１に示す印刷中断指示画面で印刷中断を行う入力（ボタンＢ１０１が押下）された場合には、携帯端末１００の中断ジョブ情報格納部１１１には、２つの印刷ジョブのジョブＩＤが格納されることになる。
【０１２９】
さらに、その後、携帯端末１００で表示される印刷再開指示画面においても上述の図１１と同様に２つの印刷ジョブのジョブＩＤが表示される。そして、印刷再開指示を行う入力が行われた場合には、２つのジョブＩＤが携帯端末１００から画像形成装置２００に送信される。そして、画像形成装置２００では、携帯端末１００からの指示に応じて、保存されている２つの印刷ジョブの印刷データが復号されて、印刷ジョブの再開が行われることになる。この場合、画像形成装置２００では、中断前に印刷中だった印刷ジョブを優先的に再開させるようにしてもよい。
【０１３０】
（Ｂ−２）上記の実施形態では、印刷再開のユーザー操作として画像形成装置２００の近距離無線通信部２０１（ＮＦＣリーダー）に携帯端末１００をかざされる例について説明したが、印刷中断中のユーザーが所持する携帯端末１００が、画像形成装置２００と一定の距離まで近づいた場合、携帯端末１００に印刷再開を促すメッセージを表示させるようにしてもよい。この場合、携帯端末１００では、例えば、近距離無線通信部１３０や無線通信部１５０で電波を受信する受信強度に基づいて画像形成装置２００との距離を判断するようにしてもよい。
【０１３１】
（Ｂ−３）上記の実施形態では、ユーザーから印刷の中断及び再開の指示を受け付けるデバイスを携帯端末１００としたが、携帯端末１００に限定されず他のデバイスとしてもよい。例えば、画像形成装置２００における操作パネル２１２を用いて、ユーザーからの印刷中断及び印刷再開の指示を受け付けるようにしてもよい。この場合例えば、操作パネル２１２を用いて、ユーザーから入力される情報に基づき印刷データを暗号化／復号する際のキー情報を取得するようにしてもよい。例えば、画像形成装置２００（印刷ジョブリスト制御部２０２）は、操作パネル２１２を用いて、ユーザーから印刷中断処理及び印刷再開処理の指示（選択）を受け付け、印刷中断処理／印刷再開処理の指示を受け付けたときに、ユーザーにユーザー情報（例えば、ユーザＩＤ等の識別情報）の入力を要求（例えば、ユーザーＩＤ及びパスワードの入力を要求するログイン要求）し、入力されたユーザー情報に基づきパスワードを生成して暗号化／復号のキー情報（暗号鍵）として用いるようにしてもよい。
【０１３２】
（Ｂ−４）上記の実施形態では、本発明の画像形成装置をプリンタに適用する例について説明したが、コピー機や複合機（コピー機能を備える複合機）に適用するようにしてもよい。この場合、本発明の画像形成装置を適用したコピー機や複合機では、印刷ジョブとして外部から受信した印刷データに基づく印刷ジョブだけでなく、ユーザーにより操作パネル２１２を用いて指示されたコピー機能実行に伴う印刷ジョブについても同様に印刷中断処理や印刷再開処理の対象として取り扱うようにしてもよい。
【符号の説明】
【０１３３】
１…画像形成システム、１００…携帯端末、１１０…アプリケーション部、１１１…中断ジョブ情報格納部、１１２…印刷指示送信部、１１３…印刷指示入力部、１２０…端末情報格納部、１３０…近距離無線通信部、１４０…操作表示部、１５０…無線通信部、２００…画像形成装置、２０１…近距離無線通信部、２０２…印刷ジョブリスト制御部、２０３…ジョブリスト格納部、２０４…ジョブデータ格納部、２０５…保存ジョブリスト格納部、２０６…保存ジョブデータ格納部、２０７…印刷データ展開部、２０８…印刷データ処理部、２０９…印刷部、２１０…通信部、２１１…印刷ジョブ受信部、２１２…操作パネル、３００、３００−１、３００−２…ホスト端末。
【図１】
2018089797.tif 000003
【図２】
2018089797.tif 000004
【図３】
2018089797.tif 000005
【図４】
2018089797.tif 000006
【図５】
2018089797.tif 000007
【図６】
2018089797.tif 000008
【図７】
2018089797.tif 000009
【図８】
2018089797.tif 000010
【図９】
2018089797.tif 000011
【図１０】
2018089797.tif 000012
【図１１】
2018089797.tif 000013